(57)【要約】【課題】施工性が良く切断による寸法調整も容易であり、コストを低く抑えることができ、輸送効率にも優れる地下水槽の充填構造を提供する。【解決手段】地下水槽１の底面に、上下両面に受け穴２ａを形成した合成樹脂製の方形の板体２を縦横に並べて敷設し、各方形の板体２の上面の受け穴２ａに合成樹脂製の筒体３の下端を嵌込んで立設し、その上に方形の板体２を下面の受け穴２ａに筒体３の上端を嵌込んで載置し、これを繰り返して方形の板体２と筒体３を交互に積み重ねて地下水槽１内に充填し、その周囲に合成樹脂製の側板４を取付けた地下水槽１の充填構造とする。方形の板体２と筒体３と側板４から構成されるので、寸法調整が容易で強度が落ちることはなく、安価に成形できるので施工費用を抑えることができ、施工は特別な技術や工具が不要で簡単であり、多数枚積み重ねて輸送できるので輸送効率も高い。【選択図】図１
2005290677.tif 000002
【特許請求の範囲】
【請求項１】
地下水槽の底面に、上下両面に受け穴を形成した合成樹脂製の方形の板体を縦横に並べて敷設し、各方形の板体の上面の受け穴に合成樹脂製の筒体の下端を嵌込んで立設し、その上に方形の板体を下面の受け穴に筒体の上端を嵌込んで載置し、これを繰り返して方形の板体と筒体を交互に積み重ねて地下水槽内に充填し、その周囲に合成樹脂製の側板を取付けたことを特徴とする地下水槽の充填構造。
【請求項２】
上下両面に受け穴を形成した方形の板体に、通水孔を設けたことを特徴とする請求項１に記載の地下水槽の充填構造。
【請求項３】
方形の板体に嵌込まれる筒体に、通水孔を設けたことを特徴とする請求項１又は請求項２に記載の地下水槽の充填構造。
【発明の詳細な説明】
【技術分野】
【０００１】
本発明は、駐車場、公園、工場の敷地などの地下に設けられる地下水槽の充填構造に関するものである。
【背景技術】
【０００２】
未舗装の道路や空地が殆どない都市化の進んだ地域では、家屋、駐車場、道路などに降った雨水が地中に浸透することなく、側溝などを通じて河川へ流れ込むため、雨期には大量の雨水が河川へ集中し、短時間で河川の容量を超えて所謂、都市型洪水を引き起こしている。一方、乾期にはダムや湖の水位が低下して水不足となるため、各地で水道水の給水制限が実施されている。
【０００３】
このような事情から、地下水槽を設けて、雨水を一次貯溜したのち河川等へ徐々に放流したり、地下へ徐々に浸透させることによって、所謂、都市型洪水を防止したり、地下水槽に一次貯溜した雨水を汲み上げて有効利用することが試みられている。
【０００４】
そのための地下水槽として、例えば図９に概略的に示すようなものが知られている。この地下水槽は、地面を掘り下げて形成した水槽１０１の側壁面と底面を被覆シート１０２で被覆し、該水槽１０１の内部に合成樹脂製の充填体１０３を縦横に並べながら上下に積み重ねて充填した構造となっている。このような地下水槽の充填構造には、例えば、図７や図８で示した充填体１０３ａ、１０３ｂ等が使用されている。
【０００５】
この図７に示した充填体１０３ａは、多数の孔１０４ａを側壁や底壁に形成した箱形の充填体であって、これを交互に上下逆向きにして地下水槽内に積み重ねられ、連結具によって上下に連結されると共に、前後左右にも連結されている。（特許文献１）
【０００６】
また、図８で示した充填体１０３ｂは、方形環状に形成された連結骨１０４ｂの４つのコーナー部のそれぞれに、中空筒でなる等長の脚杆１０５ｂが一体に設けられたものであって、これを地下水槽の内部に、前後左右に並べられると共に上下に積み重ねられて充填されている。（特許文献２）
【０００７】
かかる地下水槽の充填構造は、地表面に比較的大きい荷重がかかっても陥没が生じにくいといった長所を有する反面、次のような問題があった。
【０００８】
即ち、上記の充填構造は、一部の充填体を切断して寸法調整を行なう必要が生じた場合、充填体の切断作業がし辛く、また、切断すると強度が落ちて荷重に耐え難いという問題があった。
【０００９】
また、上記の充填構造に用いられる充填体は射出成形で一体的に作られたものであるので、充填体のコストが高くなり、施工費用が嵩むという問題もあった。
【００１０】
更に、上記の充填構造に用いられる充填体は一体成形品であるので、輸送する際、トラックなどに分解して積載できないため、無駄なスペースが多くでき、輸送効率が悪くなるという問題もあった。
【特許文献１】特開２０００−１９９２４６号公報
【特許文献２】特開２００２−０１３１８２号公報
【発明の開示】
【発明が解決しようとする課題】
【００１１】
本発明は上記の事情に鑑みてなされたもので、施工性が良く切断による寸法調整も容易であり、コストを低く抑えることができ、輸送効率にも優れる地下水槽の充填構造を提供することを解決課題としている。
【課題を解決するための手段】
【００１２】
上記の課題を解決するために、本発明の地下水槽の充填構造は、地下水槽の底面に、上下両面に受け穴を形成した合成樹脂製の方形の板体を縦横に並べて敷設し、各方形の板体の上面の受け穴に合成樹脂製の筒体の下端を嵌込んで立設し、その上に方形の板体を下面の受け穴に筒体の上端を嵌込んで載置し、これを繰り返して方形の板体と筒体を交互に積み重ねて地下水槽内に充填し、その周囲に合成樹脂製の側板を取付けたことを特徴とするものである。
【００１３】
本発明の地下水槽の充填構造においては、上下両面に受け穴を形成した方形の板体に、通水孔を設けることが望ましく、方形の板体に嵌込まれる筒体にも、通水孔を設けることが好ましい。
【発明の効果】
【００１４】
本発明の地下水槽の充填構造は、上下両面に受け穴を形成した合成樹脂製の方形の板体と、各方形の板体の受け穴に嵌込まれる合成樹脂製の筒体と、それらの周囲を囲む合成樹脂製の側板からなるもので、各部材は、切断がし易い形状であるため、切断による寸法調整が容易であり、切断しても強度が落ちることはない。しかも、筒体は合成樹脂を筒状に押出成形して所定の寸法に切断することにより簡単且つ安価に製造することができ、また、方形の板体や側板も安価に成形できるので、施工費用を低く抑えることができる。そして、方形の板体や側板は多数枚積み重ねて輸送でき、筒体も横向きに寝かせて多数本積み重ねて輸送することができるので、従来の充填体と比べて輸送効率は高い。また、施工は、地下水槽の底面に、合成樹脂製の方形の板体を縦横に並べて敷設し、各方形の板体の上面の受け穴に合成樹脂製の筒体の下端を嵌込んで立設し、その上に方形の板体を下面の受け穴に筒体の上端を嵌込んで載置し、これを繰り返して方形の板体と筒体を交互に積み重ね、その周囲に合成樹脂製の側板を取付けることにより行われるので、特別な技術や工具を必要とせず、簡単である。
【００１５】
また、上下両面に受け穴を形成した方形の板体に、通水孔を設けると、地下水槽内で水の上下方向の移動が容易になり、地表に降った雨水もスムーズに地下水槽内に溜められる。
【００１６】
更に、方形の板体に嵌込まれる筒体に通水孔を設けると、筒体の内部にも貯水されるので、貯水量も増加する。
【発明を実施するための最良の形態】
【００１７】
以下、図面を参照して本発明の具体的な実施形態を詳述する。
【実施例１】
【００１８】
図１は本発明の一実施形態に係る地下水槽の充填構造の概略断面図、図２は同充填構造の分解斜視図、図３は同充填構造に用いる方形の板体の斜視図、図４は同充填構造に用いる筒体の斜視図、図５は同充填構造の方形の板体と筒体の嵌合面の拡大断面図、図６は同充填構造の方形の板体と側板の取付け方を示す拡大断面図である。
【００１９】
この地下水槽の充填構造は、図１に示すように地面を掘り下げて地下水槽１を形成し、その底面と側壁面を合成樹脂シートやゴムシートなどの遮水シート５で被覆することによって、雨水が地下に浸透することなく地下水槽１内に貯溜されるようにしている。そして、この地下水槽１には、地上の側溝や排水溝から雨水を導入する雨水導入管（不図示）や、地下貯水槽１内に貯溜された雨水を外部へ取り出す取水管（不図示）などが配管されている。
【００２０】
尚、地下水槽１の底面と側壁面を透水性のシートで被覆すれば、一旦貯溜した雨水を徐々に地下へ浸透させることもできる。また、地下水槽１の底面と側壁面をコンクリートで形成してもよく、その場合は、遮水シート５が不要となる。
【００２１】
地下水槽１の底面には、上下両面に同じ直径の円形の受け穴２ａを片面４個、両面で８個設けた合成樹脂製の方形の板体２が縦横に並べられて敷設されており、図２、図５で示すように、その上面のそれぞれの受け穴２ａには、受け穴よりも若干直径の小さい合成樹脂製の円形の筒体３の下端が嵌込まれて立設されている。円形の筒体３の上端はその上に載置された板体２の下面の受け穴２ａに嵌込まれており、これを繰り返して方形の板体２と円形の筒体３を交互に積み重ねることで地下水槽１に充填されている。円形の筒体３は、板体２の受け穴とほぼ同等の直径であるので、この筒体３の外周が板体２の受け穴２ａの内周にほぼ密着した状態でガタツキなく嵌合固定されている。尚、板体２と筒体３を止具や接着剤等によって固定してもよい。
【００２２】
図３に示す上記の方形の板体２は、一辺の長さが５０〜１００ｃｍ程度、厚みが５〜１０ｃｍ程度で、上下両面に設けられる円形の受け穴２ａの直径が２０〜４０ｃｍ程度、深さが１〜３ｃｍ程度の合成樹脂製のもので、側面に嵌合穴２ｂを設けたものが好適に使用され、この実施例では、一辺の長さが７５ｃｍ、厚みが７．５ｃｍ、上下両面に設けられる円形の受け穴２ａの直径が２５ｃｍで、深さが２ｃｍの合成樹脂製の板体が使用されている。そして、この方形の板体２に形成される通水孔２０は５〜１０ｍｍ程度の直径を有することが好ましく、これより大きくなると板体２自体の強度が低下し、これより小さくなると水の流通（上下移動）が悪くなる。この通水孔２０の個数は、一辺が７５ｃｍの方形の板体の場合、４〜１０個とするのが好ましく、これより少なくなると、水の流通が悪くなり、これより多くなると板体の強度が低下する。
【００２３】
また、図４に示す上記の円形の筒体３は、直径（外径）が上記板体２の受け穴２ａの直径よりわずかに小さい２０〜４０ｃｍ程度の筒体であって、厚みが０．５〜２ｃｍ程度、高さが２５〜７５ｃｍ程度の合成樹脂製のものが好適に使用される。この実施例では、直径（外径）が２５ｃｍ、厚みが１ｃｍ、高さが５０ｃｍの合成樹脂製の円形の筒体が使用されている。この筒体３にも、通水孔３０が複数個設けられており、上記と同様の理由で通水孔３０の直径は５〜１０ｍｍ程度とされている。通水孔３０の個数はこの実施例のように高さが５０ｃｍの筒体の場合、１０〜２０個設けることが好ましく、これより多くなると強度の低下を招く恐れがある。このように円形の筒体３に通水孔３０を設けると、筒体の内部にも雨水が流入して貯溜されるため雨水貯水量は飛躍的に増加する。
【００２４】
上記のように充填された筒体３と方形の板体２の周囲（外周面）には側板４が取付けられている。この側板４は、横が上記板体２の一辺の長さの２倍で、縦が板体２と筒体３を組合わせた高さの２倍である合成樹脂製の方形の側板であって、土圧に充分耐えられるようにその厚みは２〜５ｃｍ程度のものであり、且つ、片面（内側面）に補強リブ（不図示）を格子状に形成したものが好適に使用される。この側板４の内側面には複数の嵌合リブ４ａが上から４分の１の位置と、下から４分の１の位置にそれぞれ横一列に並んで設けられている。この嵌合リブ４ａは、一枚の方形の板体２に対して２個の割合となるように一列につき４個設けられている。そして、図６に示すように、この嵌合リブ４ａを上記した方形の板体２の側面に設けられた嵌合穴２ｂに嵌合させることにより、方形の板体２と側板４が取付けれている。この嵌合リブ４ａと嵌合穴２ｂの個数は適宜増減させてもよく、また、嵌合リブ４ａを設ける位置を適宜変更してもよい。尚、側板４の内面の上記の位置に水平に嵌合溝を設けて、そこに方形の板体２を差込むことで取付けてもよく、また、側板４の内面の上記の位置にレール状の連続した嵌合リブを設けて、この嵌合リブを板体２の側面に形成された嵌合溝に嵌合させることで取付けてもよい。
【００２５】
上記のように、板体２と筒体３の充填作業、及び側板４の取付け作業が終わると、最終的に、最上の板体２の上に透水性シート６を重ね、その上に覆土７を設けて地下水槽を完成する。
【００２６】
以上のような地下水槽の充填構造は、板体２と筒体３の充填作業が容易であり、側板４の取付け作業も容易であるため、施工性が良好であり、しかも、地下水槽内に充填された最上の筒体を切断するだけで、全体の高さ調整ができ、また、地下水槽内の端部の板体を切断するだけで、全体の巾寸法調整ができるので寸法調整も容易である。また、各部材は安価に製造できるため、施工費用を抑えることができるし、板体や側板は多数枚積み重ねて輸送でき、筒体も横向きに寝かせて多数本積み重ねて輸送することができるので、輸送効率にも優れる。
【図面の簡単な説明】
【００２７】
【図１】本発明の一実施形態に係る地下水槽の充填構造の概略断面図である。
【図２】同充填構造の分解斜視図である。
【図３】同充填構造に用いる方形の板体の斜視図である。
【図４】同充填構造に用いる筒体の斜視図である。
【図５】同充填構造の方形の板体と筒体の嵌合面の拡大断面図である。
【図６】同充填構造の方形の板体と側板の取付け方を示す拡大断面図である。
【図７】従来の地下水槽の一充填体の斜視図である。
【図８】従来の地下水槽の一充填体の斜視図である。
【図９】従来の地下水槽の断面図である。
【符号の説明】
【００２８】
１    地下水槽
２    方形の板体
２ａ  受け穴
３    筒体
４    側板
２０  通水孔
３０  通水孔
【図１】
2005290677.tif 000003
【図２】
2005290677.tif 000004
【図３】
2005290677.tif 000005
【図４】
2005290677.tif 000006
【図５】
2005290677.tif 000007
【図６】
2005290677.tif 000008
【図７】
2005290677.tif 000009
【図８】
2005290677.tif 000010
【図９】
2005290677.tif 000011